(57)【要約】【課題】  従来の環境改善方法においては、木炭粉末を含有した塗料を塗布した成形体を用いてより一層プラスイオンを吸着させ周囲の雰囲気をマイナスイオンの多い環境にすること。【解決手段】  表面に木炭粉末を含有した塗料を塗布した成形体を用いて周囲の環境を改善する方法であって、該木炭粉末を含有した塗料を塗布した面に外的要因を付与することにより周囲の雰囲気中のプラスイオンを前記木炭粉末を含有した塗料を塗布した面に吸着させマイナスイオンの多い環境にすることにより、木炭粉末を含有した塗料を塗布した成形体を用いてより一層プラスイオンを吸着させ周囲の雰囲気をマイナスイオンの多い環境にできるようになる。【選択図】なし【特許請求の範囲】
【請求項１】
表面に木炭粉末を含有した塗料を塗布した成形体を用いて周囲の環境を改善する方法であって、
該木炭粉末を含有した塗料を塗布した面に外的要因を付与することにより周囲の雰囲気中のプラスイオンを前記木炭粉末を含有した塗料を塗布した面に吸着させマイナスイオンの多い環境にすること
を特徴とする環境改善方法。
【請求項２】
前記外的要因は、
電気回路、蛍光灯またはテレビであること
を特徴とする請求項１に記載の環境改善方法。
【請求項３】
前記木炭粉末を含有した塗料は、
ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること
を特徴とする請求項１に記載の環境改善方法。
【発明の詳細な説明】
【技術分野】
【０００１】
本発明は、例えば、机、タンス、洋服収納ケース、建材等の表面に木炭粉末を含有した塗料を塗布した成形体を用いて周囲の雰囲気をマイナスイオンの多い環境にする環境改善方法に関するものである。
【背景技術】
【０００２】
この種の技術としては、例えば、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂又はナイロン６と、ナイロン６６と、ナイロン１２とからなる高融点型ナイロン樹脂と、これらのナイロン樹脂の溶剤と、木炭粉末とを含有する塗料組成物を内壁、床下、天井裏、押入等の建築用の塗装に用いる技術が公知になっている。
【特許文献１】特許第３１３３９６２号公報
【０００３】
この特許文献１の公知技術においては、内壁、床下、天井裏、押入等に前記塗料組成物を塗装することにより、該塗料組成物に含有する木炭粉末が有する作用、例えば、該木炭粉末に空気中のプラスイオンを吸着させてマイナスイオン濃度を高めると云う空気の浄化作用等を得ることにより周囲の環境を改善させるというものである。
【発明の開示】
【発明が解決しようとする課題】
【０００４】
しかしながら、前記特許文献１の公知技術においては、単に木炭粉末を含有する塗料組成物を内壁、床下、天井裏、押入等に塗装するだけであっても前記木炭粉末が有する作用を得ることはできるものであるが、該木炭粉末により周囲の環境を改善する作用、特に、前記塗料組成物を塗装した面にプラスイオンを吸着させて、該塗料組成物を塗装した面の周囲の雰囲気をマイナスイオンの多い環境にすることについては、一応の効果を得ることができるものの、その効果は微弱であった。
【０００５】
従って、従来の環境改善方法においては、木炭粉末を含有した塗料を塗布した成形体を用いてより一層プラスイオンを吸着させ周囲の雰囲気をマイナスイオンの多い環境にするということに解決しなければならない課題を有している。
【課題を解決するための手段】
【０００６】
上記した従来例の課題を解決する具体的手段として本発明に係る環境改善方法は、表面に木炭粉末を含有した塗料を塗布した成形体を用いて周囲の環境を改善する方法であって、該木炭粉末を含有した塗料を塗布した面に外的要因を付与することにより周囲の雰囲気中のプラスイオンを前記木炭粉末を含有した塗料を塗布した面に吸着させマイナスイオンの多い環境にすることを最も主要な特徴とする。
【０００７】
この発明において、前記外的要因は、電気回路、蛍光灯またはテレビであること；前記木炭粉末を含有した塗料は、ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること；を付加的な要件として含むものである。
【発明の効果】
【０００８】
本発明に係る環境改善方法は、表面に木炭粉末を含有した塗料を塗布した成形体を用いて周囲の環境を改善する方法であって、該木炭粉末を含有した塗料を塗布した面に外的要因を付与することにより周囲の雰囲気中のプラスイオンを前記木炭粉末を含有した塗料を塗布した面に吸着させマイナスイオンの多い環境にすることにより、木炭粉末を含有した塗料を塗布した成形体を用いてより一層プラスイオンを吸着させ周囲の雰囲気をマイナスイオンの多い環境にでき、このようにマイナスイオンの多い環境にできることにより、該環境下にいる人の乳酸値・過酸化脂質を減少しストレスを緩和して疲れ難い環境にし、更に、該使用者の体内、例えば、血液・肝臓におけるチアミンの消費を低減させることができるという優れた効果を奏する。
【発明を実施するための最良の形態】
【０００９】
次に、本発明を具体的な実施の形態に基づいて詳しく説明する。
本発明に係る環境改善方法を説明するために、表面に木炭粉末を含有した塗料を塗布した成形体を用いて形成した机１の略示的な斜視図を図１に示し、具体的な一実施例である机１を用いて環境改善方法を説明する。なお、表面に木炭粉末を含有した塗料を塗布した成形体２を用いて形成するものとしては、机１に限定するものではなく、木炭粉末を含有した塗料を塗布できるものであれば、例えば、タンス、洋服収納ケースまたは建材等のいずれもものであっても良い。
【００１０】
前記成形体２は、例えば、木材、樹脂材または金属材等から形成される成形体２であり、該成形体２の表面に塗布する木炭粉末を含有した塗料としては、木炭粉末を含有している塗料であればいずれの塗料であっても良いが、特に、特開第３１３３９６２号公報に開示された技術であるナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物である、ヘルスコート（登録商標：アーテック工房（株）社製）等の木炭粉末を含有した塗料を使用することが好ましい。
【００１１】
この木炭粉末としては、いずれの粉末状にした木炭を使用しても良いが、例えば、白炭または黒炭等の木炭を粉末状にしたものを使用でき、これら白炭もしくは黒炭のいずれか一種またはこれら木炭の二種以上を混合したもの等を使用することができる。
【００１２】
机１は、複数の表面に木炭粉末を含有した塗料を塗布した成形体２を用いて組み合わせて形成したものである。なお、本発明においては、例えば、薄いシート材等の表面に木炭粉末を含有した塗料を塗布して成形体２としても良く、この場合には、例えば、一般的に使用されている机、タンス、洋服収納ケースまたは建材等の表面に前記薄いシート材からなる成形体２を張り合わせたものも成形体として含むものである。
【００１３】
机１の成形体２の木炭粉末を含有した塗料を塗布した面には、外的要因３を付与することにより、該木炭粉末を含有した塗料を塗布した面の周囲の雰囲気中のプラスイオンを前記木炭粉末を含有した塗料を塗布した面に吸着させて、相対的にマイナスイオンの多い環境にして、木炭粉末を含有した塗料を塗布した面の周囲の雰囲気の環境を改善することができるようになる。
【００１４】
この外的要因３としては、例えば、電気回路３ａ、蛍光灯３ｂまたはテレビ３ｃを用いることができる。外的要因３として蛍光灯３ｂまたはテレビ３ｃを用いた場合には、これら蛍光灯３ｂまたはテレビ３ｃから発生した電磁波が木炭粉末を活性化させるため、成形体２の木炭粉末を含有した塗料を塗布した面に直接的に配設させることができることは勿論であるが、これに限定されるものではなく、木炭粉末を含有した塗料を塗布していない面に配設させても良いのである。
【００１５】
また、外的要因３として電気回路３ａを用いた場合には、机１のいずれの場所に電気回路３ａを形成させても良いが、例えば、図１に示したように、天板４の下側に延長された背板５の正面側５ａに形成させることにより、電気回路３ａが外部から見えづらくなって外観上の体裁が良いと共に、学習時に学習者の足が電気回路３ａにあたる等の支障が生じないようにできるのである。
【００１６】
そして、木炭粉末を含有した塗料を塗布した面のいずれかの面、例えば、天板４の下側に延長された背板５の正面側５ａに電気回路３ａを接続点６ａ、６ｂで接続させる。前記木炭粉末を含有した塗料は、含有する木炭粉末の電気的特性により、該木炭粉末を含有した塗料を塗布した面に僅かに電気を通電させる作用を有していることから、前記電気回路３ａの接続点６ａ、６ｂ間には、微弱な電流が通電されることになる。
【００１７】
このように、電気回路３ａを形成して木炭粉末を含有した塗料を塗布した面に微弱な電流を通電させる、蛍光灯３ｂを配設するまたはテレビ３ｃを配設する等の外的要因３を付与することにより、木炭粉末の帯電を防止し、該木炭粉末を活性化させることができるようになるため、木炭粉末を含有した塗料を塗布した成形体２から、該木炭粉末が有する作用、特に、プラスイオンを吸着させる作用をより一層向上させることができるようになって、前記木炭粉末を含有した塗料を塗布した面で周囲の雰囲気中のプラスイオンをより多く吸着させて減少させることができ、相対的に前記木炭粉末を含有した塗料を塗布した面の周囲の雰囲気をマイナスイオンの多い環境にすることができるようになるのである。
【００１８】
この電気回路３ａに用いる電源供給手段７としては、例えば、電池またはＡＣ電源等を用いることができる。また、電気回路３ａは、電源供給手段７を省略してアース（接地）するだけであっても良い。
【００１９】
このように、プラスイオンを前記木炭粉末を含有した塗料を塗布した面に吸着させ減少させてマイナスイオンの多い環境にすることによって、プラスイオンが多い環境と比較して、成形体２の近傍に位置する、例えば、机１を使用者が使用することにより、該机１を使用する使用者の乳酸値・過酸化脂質が減少されてストレスが緩和されて疲れ難い環境にでき、更に、該使用者の体内、例えば、血液・肝臓におけるチアミンの消費を低減させることができることから、該使用者の学習能力が向上される環境であると推察されるのである。
【００２０】
次に、本発明に係る環境改善方法によりプラスイオンを減少させてマイナスイオンの多い環境にできることを確認するいくつかの試験と、プラスイオンを減少させてマイナスイオンの多い環境にすることにより乳酸値・過酸化脂質が減少され、更に、血液中のチアミン濃度が高くなることを確認するいくつかの試験とを行った結果を以下に示す。
【００２１】
（試験１）
この試験１においては、図２に示した木炭粉末を含有した塗料を塗布した板状の成形体２をコの字状に組み合わせて形成した塗布板（以下、ＨＣカコイ１１という）を用い、該ＨＣカコイ１１の周囲の雰囲気中のイオン環境（プラスイオン数）を測定した。
【００２２】
このＨＣカコイ１１は、厚さが１０ｍｍで、１辺が６０ｃｍの正方形のベニヤ合板を張り合わせてコの字状に形成したものであり、該コの字状の内側（内面側）に、木炭粉末を含有した塗料としてヘルスコート（登録商標：アーテック工房（株）社製）を塗布したものである。
【００２３】
イオン環境を測定する方法としては、イオン測定器１２を配設させて測定した。また、前記ＨＣカコイ１１を配設した状態のイオン環境を前記イオン測定器１２で測定する場合には、図３に示したように、ＨＣカコイ１１をコの字状の開口部が下部側になるように立てた状態で配設し、該ＨＣカコイ１１の内側にイオン測定器１２を配設して該ＨＣカコイ１１の内側の雰囲気中のイオン環境を測定した。
【００２４】
イオン環境の測定は、以下の項目順にしたがって測定を行った。
（１）測定室内にてイオン測定器１２のゼロ設定を行う。（略３０分間）
（２）測定室内のプラスイオン数を測定。（５分間）
（３）ＨＣカコイ１１を図３のように配設してプラスイオン数を測定。（５分間）
（４）ＨＣカコイ１１の木炭粉末を含有した塗料を塗布した面、即ちコの字状の内側（内面側）の面に電池（１．５Ｖ）を用いた電気回路を接続させてプラスイオン数を測定。（５分間）
（５）前記（４）の状態から電池を取り外す、即ち電気回路を外した状態にしてプラスイオン数を測定。（５分間）
（６）ＨＣカコイ１１を取り外してプラスイオン数を測定。（５分間）
（７）再度ＨＣカコイ１１を配設してプラスイオン数を測定。（５分間）
（８）再度電気回路に電池と取り付け、電気回路を接続させてプラスイオン数を測定。（５分間）
（９）再度ＨＣカコイ１１を取り外してプラスイオン数を測定。（５分間）
（１０）再度ＨＣカコイ１１を配設し、該ＨＣカコイ１１の外面に外的要因の電子機器としてテレビを近接させた状態にしてプラスイオン数を測定。（５分間）
【００２５】
前記試験１のイオン環境の測定の項目におけるプラスイオン数を測定した結果を表１に示す。
【００２６】
【表１】
2005230646.tif 000002
【００２７】
この表１から明らかなように、ＨＣカコイ１１を配設することにより、周囲の雰囲気中をプラスイオンが少ない環境、即ちプラスイオンを減少させることができるということが理解でき、更にＨＣカコイ１１の木炭粉末を含有した塗料を塗布した面に、電気回路を接続させるまたはテレビ等の外的要因を付与することにより、プラスイオンを減少させる効果を向上させることができることが理解できる。なお、外的要因として、テレビを配設させた状態では、プラスイオンの測定にも拘わらず、マイナスイオンが測定されたため、表１中には、マイナス表示によりマイナスイオン数を示してある。
【００２８】
（試験２）
この試験２においては、以下の項目順にしたがって測定を行った。
（１１）測定室内にてイオン測定器１２のゼロ設定を行う。（略３０分間）
（１２）測定室内のプラスイオン数を測定。（５分間）
（１３）ＨＣカコイ１１を図３のように配設してプラスイオン数を測定。（５分間）
（１４）ＨＣカコイ１１の木炭粉末を含有した塗料を塗布した面、即ちコの字状の内側（内面側）の面に電池（１．５Ｖ）を用いた電気回路を接続させてプラスイオン数を測定。（５分間）
（１５）前記（１４）の状態から電池を取り外す、即ち電気回路を外した状態にし、図４のようにＨＣカコイ１１の背面側にシート材１３を貼着させてプラスイオン数を測定。（５分間）
【００２９】
前記試験２のイオン環境の測定の項目におけるプラスイオン数を測定した結果を表２に示す。
【００３０】
【表２】
2005230646.tif 000003
【００３１】
この表２から明らかなように、ＨＣカコイ１１を配設し、電気回路を接続することにより、周囲の雰囲気中をプラスイオンを減少させることができることが理解できる。更に、ＨＣカコイ１１の背面側を塞いで空気の流入・循環を少なくすることで、ＨＣカコイ１１の内側の雰囲気中のプラスイオンをより減少させることができるようになることが理解できる。
【００３２】
（試験３）
この試験３においては、以下の項目順にしたがって測定を行った。
（１６）測定室内にてイオン測定器１２のゼロ設定を行う。（略３０分間）
（１７）測定室内のマイナスイオン数を測定。（３０分間）
（１８）ＨＣカコイ１１を図３のように配設してマイナスイオン数を測定。（３０分間）
（１９）ＨＣカコイ１１の上面側に外的要因として蛍光灯を配設してマイナスイオン数を測定。（３０分間）
【００３３】
前記試験３のイオン環境の測定の項目におけるマイナスイオン数を測定した結果を表２に示す。
【００３４】
【表３】
2005230646.tif 000004
【００３５】
この表３から明らかなように、ＨＣカコイ１１を配設することにより、周囲の雰囲気をマイナスイオンの多い環境にできることが理解でき、更にＨＣカコイ１１の上面側に蛍光灯を配設することにより、ＨＣカコイ１１の内側の雰囲気をより一層マイナスイオンが多い環境にできることが理解できる。
【００３６】
このＨＣカコイ１１を配設することにより、周囲の雰囲気をマイナスイオンの多い環境にできる理由としては、木炭粉末を含有した塗料を塗布した面が蛍光灯による外的要因を付与されたことにより電気的エネルギーを吸収し、励起アップしたためと推察される。
【００３７】
（試験４）
この試験４においては、マイナスイオン環境（静電圧環境）に曝露させたラットのグループ（Ａグループ）と、プラスイオン環境に曝露させたラットのグループ（Ｂグループ）とを用い、それぞれのラットのグループを点滅するランプが内部に配設された所定の容器（試験用容器）内に収容させ、該ラットがレバーを押すことにより餌を得ることができるようにしてラットの学習能力を確認する試験を行った。このマイナスイオン環境（静電圧環境）とは、プラスイオンを減少させる環境であり、最終的にプラスイオンとマイナスイオンの比率が変化してマイナスイオン比率が大きい環境となるものである。
【００３８】
ラットをそれぞれのイオン環境に曝露させるための容器としては、プラスイオン環境に曝露させたラットのＢグループを収容する容器には、透明のアクリル製の容器（２５０ｍｍ×２５０ｍｍ×３００ｍｍ）にプラスイオン発生器を配設させたものを使用し、マイナスイオン環境に曝露させたラットのＡグループを収容する容器には、前記プラスイオン環境と同様の容器を使用し、該容器の内面に木炭粉末を含有した塗料としてヘルスコート（登録商標：アーテック工房（株）社製）を塗布しプラスイオン発生器を配設させたものを使用した。このプラスイオン発生器は、１ｃｍ３あたり、数１０万個のプラスイオンを発生する装置である。
【００３９】
また、点滅するランプ（２０秒間隔で点灯・消灯を繰り返す）とレバーとを配設し、ラットの学習能力を確認する試験を行うための前記所定の容器（試験用容器）としては、外界の光を遮断するために、黒色のアクリル製の容器（２００ｍｍ×２００ｍｍ×３００ｍｍ）をそれぞれ使用した。
【００４０】
この試験４に用いたラットは、１９週齢のオスのラットを１０匹用意し、該ラットを５匹ずつの２つのグループに分け、これら２つのグループのラットを前記マイナスイオン環境とプラスイオン環境とのそれぞれの容器に収容させて、前記それぞれのイオン環境中に１日３０分間曝露させた。このイオン環境中にラットを曝露させることは、４０日間継続して行った。
【００４１】
これらラットに供与した餌としては、直径略３ｍｍの球形で、質量が略０．０５ｇのペレットを使用した。
【００４２】
そして、前記ペレットは、前記所定の容器（試験用容器）に配設されたランプが点灯している間に、ラットが該所定の容器内に配設されたレバーを押すことにより、餌供給機から餌箱に１個供与されるようにしたものである。つまり、ランプの消灯時にレバーを押しても餌は供与されないため、ラットは、ランプ点灯時にレバーを押さなければ餌が供与されないことを学習するのである。
【００４３】
この試験４は、１８日間連続して行い、前記２つのグループのラットがそれぞれ食したペレットの個数を確認した。
【００４４】
これらラットは、健康状態を確認するため、試験前に全てのラットの体重を測定した。また、試験中においても、これら全てのラットの体重を毎日確認した。そして、前記２つのグループのラットが１日に食するペレット数を同じになるように調整した。つまり、前記所定の容器（試験用容器）内で食したペレット数が少ない場合には、後で少なかった分のペレットを供与した。
【００４５】
更に、これら２つのグループのラットには、試験前と試験中との体重が一定になるように、前記ペレットとは別に、粉末の餌を１５ｇずつ均等に供与してペレットでは足りない分を補った。これにより、前記２つのグループの５匹のラットの平均体重は、試験前と試験中と略４５０ｇに維持することができた。
【００４６】
前記所定の容器（試験用容器）内に収容されたラットが、１時間あたりに獲得した餌（ペレット）の個数を確認したデータをグラフにして図５に示してある。図５に示したように、１日３０分間マイナスイオン環境（静電圧環境）に曝露させたラットのＡグループの餌（ペレット）の獲得量２１は、プラスイオン環境に曝露させたラットのＢグループの餌の獲得量２２と比較して、試験日数が経過するにしたがって、レバーを押してペレットを獲得できる量が多くなったことから、ラットをマイナスイオン環境（静電圧環境）に曝露させることにより、学習能力が向上することが理解できる。
【００４７】
（試験５）
この試験５においては、前記試験４を終了した直後のそれぞれのラットから、大脳と脳幹とをそれぞれ１ｇずつ取り出し、該大脳と脳幹とに含まれる過酸化脂質に反応する値を測定した。この過酸化脂質反応の値の測定には、レシオビーム分光光度計（Ｕ−１５００型：（株）日立製作所製）を使用してＴＢＡ法を用いた。
【００４８】
この試験５により測定した大脳と脳幹との過酸化脂質反応の値の平均値を図６に示してある。図６に示したように、１日３０分間マイナスイオン環境（静電圧環境）に曝露させたラットのＡグループの過酸化脂質反応の値３１、３３は、プラスイオン環境に曝露させたラットのＢグループの過酸化脂質反応の値３２、３４と比較して、その過酸化脂質反応の値が小さく、マイナスイオン環境に曝露させたラットの脳脂質の酸化は、プラスイオン環境に曝露させたラットの脳脂質の酸化よりも少ないことが解る。
【００４９】
（試験６）
この試験６においては、前記試験４を終了した直後のそれぞれのラットから、血液と肝臓とを摘出し、血液１ｍｌ中と、肝臓１ｇ中とに含まれるチアミンをチオクロム蛍光法により定量し、その濃度を測定した。
【００５０】
この試験６により測定した血液１ｍｌ中に含まれるチアミンの濃度の平均値を図７に示し、肝臓１ｇ中に含まれるチアミンの濃度の平均値を図８に示してある。これら図７及び図８から明らかなように、１日３０分間マイナスイオン環境（静電圧環境）に曝露させたラットのＡグループのチアミンの濃度４１、４３は、プラスイオン環境に曝露させたラットのＢグループのチアミンの濃度４２、４４と比較して、高くなっていることが解る。このことから、マイナスイオン環境に曝露させたラットの生体に含まれるチアミンの消耗は、プラスイオン環境に曝露させたラットにおけるチアミンの消耗よりも少なかったことが理解できる。
【００５１】
（試験７）
この試験７においては、イオン照射を行わない、即ち、通常状態の環境のラットのグループ（Ｃグループ）と、プラスイオン環境に曝露させたラットのグループ（Ｄグループ）と、マイナスイオン環境（静電圧環境）に曝露させたラットのグループ（Ｅグループ）とを用い、それぞれの乳酸値を測定する試験を行った。
【００５２】
ラットをそれぞれのイオン環境に曝露させるための容器としては、通常状態の環境のラットのＣグループを収容する容器には、透明のダンプラ製の容器（９６０ｍｍ×４００ｍｍ×４００ｍｍ）を使用し、該容器の底部には、ラットが糞を食べることを防止するための網を配設させた。プラスイオン環境に曝露させたラットのＤグループを収容する容器には、前記通常状態の環境と同様の底部に網を配設させた容器を使用し、該容器にプラスイオン照射器を配設させた。マイナスイオン環境に曝露させたラットのＥグループを収容する容器には、前記通常状態の環境と同様の底部に網を配設させた容器を使用し、該容器にプラスイオン照射器を配設させ、該容器の内面に木炭粉末を含有した塗料としてヘルスコート（登録商標：アーテック工房（株）社製）を塗布したものを使用した。このプラスイオン照射器は、１ｃｃあたり、１００万個のプラスイオンを発生する装置である。前記それぞれの容器には、ファンを取り付けて容器内の換気を行った。なお、ラットが糞を食べることを防止するための網を配設させた理由は、ラットが糞を食べることにより、体内でビタミン類が合成されることを防止するためである。
【００５３】
この試験７に用いたラットは、２０週齢のオスのラットを１５匹用意し、該ラットを５匹ずつの３つのグループに分け、これら３つのグループのラットを前記それぞれの容器に収容させて、前記それぞれのイオン環境中に１日２時間曝露させた。このイオン環境中にラットを曝露させることは、８０日間継続して行った。
【００５４】
これらラットには、該ラットの体重を維持させるため、前記イオン環境における曝露が終了した後、粉末状の餌を１日あたり１５ｇ供与した。そして、８０日間経過後に、前記それぞれのラットの尻尾から血液を採血し、該血液中の乳酸値を簡易血中乳酸測定器を用いて測定した。
【００５５】
この試験７により測定した血液中の乳酸値の平均値を図９に示してある。この図９から明らかなように、通常状態の環境のラットのＣグループの乳酸値５１と比較して、プラスイオン環境に曝露させたラットのＤグループの乳酸値５２は増加するが、マイナスイオン環境に曝露させたラットのＥグループの乳酸値５３は減少することが理解できる。
【００５６】
そして、前記試験５と試験７との結果から、ラットをマイナスイオン環境に曝露させることにより、該ラットの過酸化脂質と乳酸値とを減少させることができるということが理解でき、このことから、前記ラットは、ストレスが緩和されて疲れ難い状態になっていると推察される。つまり、マイナスイオン環境は、ストレスを緩和させ、疲れ難い状態にできる環境であると推察される。
【図面の簡単な説明】
【００５７】
【図１】本発明に係る環境改善方法を説明するための実施例としての机を略示的に示した斜視図である。
【図２】同環境改善方法によりプラスイオンを減少させてマイナスイオンの多い環境にできることを確認する試験を行うために使用するＨＣカコイを略示的に示した斜視図である。
【図３】同環境改善方法によりプラスイオンを減少させてマイナスイオンの多い環境にできることを確認する試験の測定状態を略示的に示した正面図である。
【図４】同環境改善方法によりプラスイオンを減少させてマイナスイオンの多い環境にできることを確認する試験を行うために使用するＨＣカコイの背面にシート材を貼着させた状態を略示的に示した斜視図である。
【図５】同環境改善方法により学習能力が向上することを確認するためのラットの餌の獲得量を示したグラフである。
【図６】同環境改善方法により過酸化脂質反応の値が変化することを確認するための過酸化脂質反応の値を示したグラフである。
【図７】同環境改善方法により血液中に含まれるチアミンの濃度が変化することを確認するためのチアミンの濃度を示したグラフである。
【図８】同環境改善方法により肝臓中に含まれるチアミンの濃度が変化することを確認するためのチアミンの濃度を示したグラフである。
【図９】同環境改善方法により血液中の乳酸値が変化することを確認するための乳酸値を示したグラフである。
【符号の説明】
【００５８】
１  机
２  成形体
３  外的要因
３ａ  電気回路
３ｂ  蛍光灯
３ｃ  テレビ
４  天板
５  背板
５ａ  背板の正面側
６ａ、６ｂ  接続点
７  電源供給手段
１１  ＨＣカコイ
１２  イオン測定器
１３  シート材
２１  マイナスイオン環境に曝露させたラットのＡグループの餌の獲得量
２２  プラスイオン環境に曝露させたラットのＢグループの餌の獲得量
３１、３３  マイナスイオン環境に曝露させたラットのＡグループの過酸化脂質反応の値
３２、３４  プラスイオン環境に曝露させたラットのＢグループの過酸化脂質反応の値
４１、４３  マイナスイオン環境に曝露させたラットのＡグループのチアミンの濃度
４２、４４  プラスイオン環境に曝露させたラットのＢグループのチアミンの濃度
５１  通常状態の環境のラットのＣグループの乳酸値
５２  プラスイオン環境に曝露させたラットのＤグループの乳酸値
５３  マイナスイオン環境に曝露させたラットのＥグループの乳酸値
【図１】
2005230646.tif 000005
【図２】
2005230646.tif 000006
【図３】
2005230646.tif 000007
【図４】
2005230646.tif 000008
【図５】
2005230646.tif 000009
【図６】
2005230646.tif 000010
【図７】
2005230646.tif 000011
【図８】
2005230646.tif 000012
【図９】
2005230646.tif 000013